(57)【要約】【課題】ガスタービンの起動に関わらずガス化炉の起動させることができ、かつ送電端効率を空気吹きに近づけることができるガス化複合発電設備を提供する。【解決手段】石炭をガス化するガス化炉３と、外気を圧縮してガス化炉３に空気を供給するガス化空気圧縮機１２と、空気から酸素を分離してガス化炉３に酸素を供給する空気分離装置１０と、ガス化炉３から導かれた生成ガスを用いて駆動されるガスタービン７と、ガスタービン７によって駆動される発電機とを備え、ガス化炉３に供給されるガスの酸素濃度は、４０ｖｏｌ％以上６０ｖｏｌ％以下とされている。【選択図】図１
2019027317.tif 000002
【特許請求の範囲】
【請求項１】
炭素含有固体燃料をガス化するガス化炉と、
外気を圧縮して前記ガス化炉に空気を供給するガス化空気圧縮機と、
空気から酸素を分離して前記ガス化炉に酸素を供給する空気分離装置と、
前記ガス化炉から導かれた生成ガスを用いて駆動されるガスタービンと、
該ガスタービンによって駆動される発電機と、
を備え、
前記ガス化炉に供給されるガスの酸素濃度は、４０ｖｏｌ％以上６０ｖｏｌ％以下とされていることを特徴とするガス化複合発電設備。
【請求項２】
前記ガス化炉から導かれた生成ガスを用いて発電する燃料電池を備えていることを特徴とする請求項１に記載のガス化複合発電設備。
【請求項３】
炭素含有固体燃料をガス化するガス化炉と、
外気を圧縮して前記ガス化炉に空気を供給するガス化空気圧縮機と、
空気から酸素を分離して前記ガス化炉に酸素を供給する空気分離装置と、
前記ガス化炉から導かれた生成ガスを用いて駆動されるガスタービンと、
該ガスタービンによって駆動される発電機と、
を備えたガス化複合発電設備の運転方法であって、
前記ガス化炉に供給されるガスの酸素濃度は、４０ｖｏｌ％以上６０ｖｏｌ％以下とされていることを特徴とするガス化複合発電設備の運転方法。
【請求項４】
前記ガス化空気圧縮機から供給された空気によって前記ガス化炉を起動することを特徴とする請求項３に記載のガス化複合発電設備の運転方法。
【請求項５】
前記ガスタービンは、空気を圧縮して燃焼器に供給するガスタービン圧縮機を備え、
前記ガスタービンの部分負荷時に、前記ガスタービン圧縮機に吸入される空気流量を、前記ガス化炉の運転状態とは独立して減少させることを特徴とする請求項３又は４に記載のガス化複合発電設備の運転方法。
【発明の詳細な説明】
【技術分野】
【０００１】
本発明は、炭素含有固体燃料をガス化して発電するガス化複合発電設備及びその運転方法に関するものである。
【背景技術】
【０００２】
微粉炭等の炭素含有固体燃料をガス化して発電するガス化複合発電設備には、ガス化炉に酸化剤として酸素のみを供給する酸素吹きと、空気のみ若しくは酸素及び空気を供給する空気吹きとが存在する。
従来の空気吹きガス化複合発電設備は、ガス化炉に供給する酸化剤として、ガスタービンの圧縮機から抽気された抽気空気と、空気分離装置（ＡＳＵ）から分離された酸素とを用いている（特許文献１参照）。
【先行技術文献】
【特許文献】
【０００３】
【特許文献１】特開２０１４−２１４７０５号公報
【発明の概要】
【発明が解決しようとする課題】
【０００４】
上記特許文献１のように、空気吹きでは、主たる空気源がガスタービンとなることから、ガス化炉を起動させるためにはガスタービンの起動が前提となる。また、ガスタービンの負荷を上昇させるためには、ガス化炉の負荷を上げて生成ガスを増加させる必要がある。このように、ガス化炉とガスタービンの運転は、互いに密接に連動しており、機器の運転の自由度が制限されているという問題がある。
【０００５】
ガスタービンの圧縮機から抽気してガス化炉に圧縮空気を供給するためには、圧縮空気の圧力をガス化炉が要求する圧力まで昇圧するために抽気空気圧縮機を用いる必要がある。しかし、抽気空気圧縮機は、ガスタービンの負荷変動が生じた場合にはガス化炉が要求する圧力となるように揚程を変化させる必要があり、設計の難易度が高いという問題がある。
【０００６】
ガス化複合発電設備を酸素吹きとすれば、抽気空気圧縮機を用いる必要がない。しかし、大量の酸素をガス化炉に供給するために酸素分離装置が大型化し、結果として送電端効率が空気吹きに比べて減少してしまう。
【０００７】
本発明は、このような事情に鑑みてなされたものであって、ガスタービンの起動に関わらずガス化炉を起動させることができ、かつ送電端効率を空気吹きに近づけることができるガス化複合発電設備及びその運転方法を提供することを目的とする。
【課題を解決するための手段】
【０００８】
上記課題を解決するために、本発明のガス化複合発電設備及びその運転方法は以下の手段を採用する。
すなわち、本発明にかかるガス化複合発電設備は、炭素含有固体燃料をガス化するガス化炉と、外気を圧縮して前記ガス化炉に空気を供給するガス化空気圧縮機と、空気から酸素を分離して前記ガス化炉に酸素を供給する空気分離装置と、前記ガス化炉から導かれた生成ガスを用いて駆動されるガスタービンと、該ガスタービンによって駆動される発電機とを備え、前記ガス化炉に供給されるガスの酸素濃度は、４０ｖｏｌ％以上６０ｖｏｌ％以下とされていることを特徴とする。
【０００９】
外気を圧縮するガス化空気圧縮機を用いてガス化炉に空気を供給することとし、ガスタービンの圧縮機から抽気された空気を用いないこととした。これにより、起動時にガスタービンの起動に関係なくガス化炉の起動を行うことができる。また、ガス化空気圧縮機は、ガスタービンからの抽気空気を圧縮する抽気空気圧縮機に比べて、ガスタービンの負荷に関わらず揚程を決めることができるので、設計が容易となる。
一方、ガス化空気圧縮機は、大気圧の外気を圧縮するので、抽気空気圧縮機に比べて圧縮比が大きくなり、動力が大きくなる。これに対して、空気分離装置から分離された酸素をガス化炉に供給してガス化炉に供給されるガスの酸素濃度を４０ｖｏｌ％以上６０ｖｏｌ％以下にすることで、空気吹きの場合の一般的な酸素濃度に合わせて酸素濃度を２５ｖｏｌ％とした場合に比べて、石炭の化学エネルギーに対する生成ガスの化学エネルギーの割合を示す冷ガス効率を上げて、全体として送電端効率を上げることができる。
また、ガスタービンから独立してガス化炉を運転することができるので、緊急時であってもガス化炉の運転を継続することができ、運用性を向上させることができる。
なお、ガス化炉に供給されるガスの酸素濃度としては、約５０％がより好ましい。
【００１０】
さらに、本発明のガス化複合発電設備では、前記ガス化炉から導かれた生成ガスを用いて発電する燃料電池を備えていることを特徴とする。
【００１１】
ガス化炉に供給されるガスの酸素濃度が４０ｖｏｌ％以上６０ｖｏｌ％以下とされ、一般に酸素濃度が約２５ｖｏｌ％とされる空気吹きの場合に比べて高い酸素濃度を有しているので、燃料電池を駆動するために必要な生成ガスのカロリーを得ることができる。
燃料電池から排出される生成ガスをガスタービンに導くように燃料電池とガスタービンを直列に配置しても良いし、ガス化炉からの生成ガスを２方に分岐して燃料電池及びガスタービンに導くようにして、燃料電池とガスタービンとを並列に配置しても良い。
【００１２】
また、本発明のガス化複合発電設備の運転方法では、炭素含有固体燃料をガス化するガス化炉と、外気を圧縮して前記ガス化炉に空気を供給するガス化空気圧縮機と、空気から酸素を分離して前記ガス化炉に酸素を供給する空気分離装置と、前記ガス化炉から導かれた生成ガスを用いて駆動されるガスタービンと、該ガスタービンによって駆動される発電機とを備えたガス化複合発電設備の運転方法であって、前記ガス化炉に供給されるガスの酸素濃度は、４０ｖｏｌ％以上６０ｖｏｌ％以下とされていることを特徴とする。
【００１３】
さらに、本発明のガス化複合発電設備の運転方法では、前記ガス化空気圧縮機から供給された空気によって前記ガス化炉を起動することを特徴とする。
【００１４】
ガス化炉は、ガス化空気圧縮機から供給された空気によって起動される。これにより、ガスタービンの圧縮機から抽気した空気を用いる必要がないので、ガスタービンの起動に関係なくガス化炉の起動を行うことができる。
【００１５】
さらに、本発明のガス化複合発電設備の運転方法では、前記ガスタービンは、空気を圧縮して燃焼器に供給するガスタービン圧縮機を備え、前記ガスタービンの部分負荷時に、前記ガスタービン圧縮機に吸入される空気流量を、前記ガス化炉の運転状態とは独立して減少させることを特徴とする。
【００１６】
ガスタービンの部分負荷時に、ガスタービン圧縮機に吸入される空気流量を、ガス化炉の運転状態とは独立して減少させることとした。したがって、大きく空気流量を減少させて部分負荷時のガスタービンの排気ガス温度を高温化することができ、負荷変化率向上を図ることができる。
【発明の効果】
【００１７】
外気を圧縮してガス化炉に空気を供給するガス化空気圧縮機を用い、ガスタービンの圧縮機からの抽気空気を用いないこととしたので、ガスタービンの起動に関わらずガス化炉を起動させることができ、かつ送電端効率を空気吹きに近づけることができる。
【図面の簡単な説明】
【００１８】
【図１】本発明の第１実施形態に係るガス化複合発電設備を示した概略構成図である。
【図２】参考例としてのガス化複合発電設備を示した概略構成図である。
【図３】ガス化炉に供給するガスの酸素濃度に対する送電端効率を示したグラフである。
【図４】本発明の第２実施形態に係るガス化複合発電設備を示した概略構成図である。
【図５】図４の変形例のガス化複合発電設備を示した概略構成図である。
【発明を実施するための形態】
【００１９】
［第１実施形態］
図１には、本発明の第１実施形態に係るガス化複合発電設備の概略構成が示されている。
ガス化複合発電設備（ＩＧＣＣ：Integrated  Gasification  Combined  Cycle）１は、ガス化炉３と、ガス精製設備５と、ガスタービン７と、蒸気タービン１８と、発電機（図示せず）と、排熱回収ボイラ（ＨＲＳＧ：Heat  Recovery Steam  Generator）２０とを備えている。
【００２０】
ガス化炉３は、空気及び酸素を酸化剤として用いており、石炭等の炭素含有固体燃料から可燃性ガスを生成する空気燃焼方式を採用している。ガス化複合発電設備１は、ガス化炉３で生成した生成ガスを、ガス精製設備５で精製して燃料ガスとした後、ガスタービン７に供給して発電を行っている。ガス化炉３に供給する炭素含有固体燃料としては、例えば石炭が用いられる。
【００２１】
石炭ミルで製造された微粉炭は、空気分離装置（ＡＳＵ：Air Separation Unit）１０から供給される搬送用イナートガスとしての窒素ガスによって加圧されて、ガス化炉３へ向けて供給される。
【００２２】
ガス化炉３には、微粉炭が供給されると共に、チャー回収設備（図示せず）で回収されたチャー（石炭の未反応分と灰分）が再利用を目的として供給されている。
【００２３】
空気分離装置１０は、大気中の空気を圧縮する原料空気圧縮機１１から導かれた圧縮空気から窒素と酸素を分離生成するものである。空気分離装置１０によって分離された窒素は、上述のように微粉炭の搬送用ガスとして利用される。余剰の窒素は、大気へと放風される。空気分離装置１０によって分離された酸素は、ガス化炉３において酸化剤として利用される。
【００２４】
ガス化炉３には、ガス化空気圧縮機１２で圧縮された圧縮空気が供給される。ガス化空気圧縮機１２は、電力の供給を受けて駆動され、大気圧とされた空気（外気）を圧縮してガス化炉３が要求する圧力まで昇圧する。
【００２５】
ガス化炉３に供給されるガスの酸素濃度は、定格運転時には、４０ｖｏｌ％以上６０ｖｏｌ％以下、好ましくは約５０ｖｏｌ％となるように、図示しない制御部によって調整されるようになっている。ここで、酸素濃度とは、石炭ガス化炉３のコンバスタ部へ供給される空気及び酸素ガス等の酸化剤と搬送用の窒素ガス等に代表されるイナートガスの合計ガス量に占める酸素濃度である。
【００２６】
ガス化炉３は、例えば、２段噴流床形式とされている。ガス化炉３は、内部に供給された石炭（微粉炭）およびチャーを酸化剤（空気、酸素）により部分燃焼させることでガス化させ生成ガスとする。ガス化炉３内は、例えば、２〜５ＭＰａ（ゲージ圧）の加圧状態に保持されている。
【００２７】
ガス化炉３は、コンバスタ部とリダクタ部を備えている。コンバスタ部は、微粉炭及び/又はチャーの一部を燃焼させることでガス化のための熱やＣＯ２、Ｈ２Ｏを供給する。リダクタ部では、微粉炭が酸素不足下でガス化される。
【００２８】
ガス精製設備５は、チャー回収設備によりチャーが分離された生成ガスに対して、硫黄化合物や窒素化合物などの不純物を取り除くことで、ガス精製を行うものである。
ガス精製設備５は、生成ガスを精製して燃料ガスを製造し、これをガスタービン７に供給する。チャーが分離された生成ガス中にはまだ硫黄分（Ｈ２Ｓなど）が含まれているため、ガス精製設備５では、アミン吸収液などによって硫黄分を除去回収して、有効利用する。
【００２９】
ガスタービン７は、ガスタービン圧縮機、燃焼器、タービンを備えており、ガスタービン圧縮機とタービンとは、共通の回転軸により連結されている。燃焼器には、ガスタービン圧縮機からの圧縮空気と、ガス精製設備５からの燃料ガスとが導かれる。従って、燃焼器では、ガスタービン圧縮機から供給された圧縮空気とガス精製設備５から供給された燃料ガスとを混合して燃焼させることで燃焼ガスを発生させ、発生させた燃焼ガスをタービンへ向けて供給する。そして、タービンは、供給された燃焼ガスにより回転軸を回転駆動させることで発電機を回転駆動させる。
【００３０】
ガスタービン圧縮機の吸入側には、ガスタービン圧縮機に吸入される空気流量を調整する吸入空気流量調整手段が設けられている。吸入空気流量調整手段は、例えばインレットガイドベーン（ＩＧＶ）とされ、制御部の指令によって各ベーンの角度が変更されて吸入面積が変更可能となっている。ガスタービン７の部分負荷時には、制御部の指令によってガスタービン圧縮機に吸入される空気流量を減少させるようになっている。
なお、ガスタービン圧縮機で圧縮された圧縮空気は、ガス化炉３へは供給されない。すなわち、ガスタービン圧縮機からの圧縮空気は、燃焼器のみへ供給されるようになっている。
【００３１】
蒸気タービン１８は、ガスタービン７の回転軸に連結されるタービンを備えており、発電機は、この回転軸に連結されている。
ガスタービン７のタービンの排出側には、排熱回収ボイラ２０が接続されている。排熱回収ボイラ２０は、給水とガスタービン７からの排ガスとの間で熱交換を行うことで、蒸気を生成するものである。そして、排熱回収ボイラ２０で生成された蒸気は、蒸気タービン１８へ導かれ、タービンが回転駆動されて回転軸を回転させることで発電機を回転駆動させる。
【００３２】
排熱回収ボイラ２０の出口には、煙突２２が接続されており、燃焼ガスが大気へと放出される。なお、排熱回収ボイラ２０の出口に、ガス浄化設備を設けても良い。
【００３３】
次に、本実施形態のガス化複合発電設備１の動作について説明する。
石炭ミルで石炭を粉砕して製造された微粉炭は、空気分離装置１０から供給される窒素ガスとともにガス化炉３に供給される。また、チャー回収設備で回収されたチャーがガス化炉３に供給される。
【００３４】
空気分離装置１０から供給される酸素と、ガス化空気圧縮機１２にて圧縮された空気がガス化炉３に供給される。このとき、制御部によって、ガス化炉３に供給されるガスの酸素濃度は、４０ｖｏｌ％以上６０ｖｏｌ％以下、好ましくは約５０ｖｏｌ％となるように調整される。
【００３５】
微粉炭及びチャーはガス化炉３内に導かれ、圧縮空気（酸素）により燃焼し、微粉炭及びチャーがガス化することで、生成ガスを生成する。ガス化炉３で生成された生成ガスは、ガス化炉３からチャー回収設備を経由してガス精製設備５に送られる。
【００３６】
ガス精製設備５にて、硫黄化合物や窒素化合物などの不純物が取り除かれてガス精製され、燃料ガスが製造される。燃料ガスは、ガスタービン７の燃焼器へと供給される。
燃焼器では、ガスタービン圧縮機から供給される圧縮空気と、ガス精製設備５から供給される燃料ガスとを混合し、燃焼することで燃焼ガスを生成する。この燃焼ガスによりタービンを回転駆動することで、回転軸を介してガスタービン圧縮機及び発電機を回転駆動し、発電を行う。
【００３７】
排熱回収ボイラ２０は、ガスタービン７から排出された排ガスと給水とで熱交換を行うことにより蒸気を生成し、この生成した蒸気を蒸気タービン１８に供給する。蒸気タービン１８では、排熱回収ボイラ２０から供給された蒸気により回転駆動されることで、回転軸を介して発電機を回転駆動し、発電を行う。
なお、ガスタービン７と蒸気タービン１８は同一軸として１つの発電機を回転駆動しなくてもよく、別の軸として複数の発電機を回転駆動しても良い。
【００３８】
また、ガス化炉３の起動は、ガス化空気圧縮機１２から導かれた空気によって行われる。したがって、ガスタービン７のガスタービン圧縮機から空気の供給を受けることなく起動できるようになっている。また、空気分離装置１０の起動を待たずにガス化炉３を起動することができる。
【００３９】
本実施形態によれば、以下の作用効果を奏する。
外気を圧縮するガス化空気圧縮機１２を用いてガス化炉３に空気を供給することとし、ガスタービン７のガスタービン圧縮機から抽気された空気を用いないこととした。これにより、起動時にガスタービン７の起動に関係なくガス化炉３の起動を行うことができる。この効果を図２に示した参考例を用いて説明する。図２に示すように、参考例の空気吹きガス化複合発電設備１００は、ガスタービン７のガスタービン圧縮機から抽気した空気を吸い込んで圧縮する抽気空気圧縮機１０２を備えている。抽気空気圧縮機１０２で圧縮された空気は、ガス化炉３へと供給される。したがって、図２の空気吹きガス化複合発電設備１００は、図１に示したようなガス化空気圧縮機１２を備えていない。このため、ガス化炉３を起動するためには、先にガスタービン７を起動させる必要がある。
【００４０】
本実施形態のガス化空気圧縮機１２は、ガスタービン７からの抽気空気を圧縮する抽気空気圧縮機１０２に比べて、ガスタービン７の負荷に関わらず揚程を決めることができるので、設計が容易となる。これに対して、図２に示した抽気空気圧縮機１０２は、ガスタービン７の負荷変動が生じた場合にはガス化炉３が要求する圧力となるように揚程を変化させる必要があり、設計の難易度が高くなる。
【００４１】
本実施形態では、ガス化空気圧縮機１２を用いてガス化炉３に空気を供給するので、ガスタービン７から独立してガス化炉３を運転することができる。したがって、緊急時であってもガス化炉３の運転を継続することができ、運用性を向上させることができる。
【００４２】
ガス化空気圧縮機１２は、大気圧の外気を圧縮するので、図２の抽気空気圧縮機１０２に比べて圧縮比が大きくなり、動力が大きくなる。これに対して、空気分離装置１０から分離された酸素をガス化炉３に供給してガス化炉３に供給されるガスの酸素濃度を４０ｖｏｌ％以上６０ｖｏｌ％以下まで高めるようにした。これにより、図２のような空気吹きの場合の一般的な酸素濃度に合わせて酸素濃度を２５ｖｏｌ％とした場合に比べて、石炭の化学エネルギーに対する生成ガスの化学エネルギーの割合を示す冷ガス効率を上げて、送電端効率を上げることができる。
【００４３】
図３には、ガス化炉３に供給するガスの酸素濃度に対する送電端効率が曲線で示されている。同図に示されているように、酸素濃度が約５０ｖｏｌ％あたりで送電端効率が最も高くなっている。酸素濃度が５０ｖｏｌ％よりも低くなると、冷ガス効率の増大よりもガス化空気圧縮機１２の圧縮動力の増大による損失が大きくなるので送電端効率が減少する。酸素濃度が５０ｖｏｌ％よりも高くなると、冷ガス効率の増大よりも空気分離装置１０で消費されるエネルギーの増大による損失が大きくなるので送電端効率が減少する。したがって、酸素濃度範囲としては、４０ｖｏｌ％以上６０ｖｏｌ％以下が好ましい。
図３には、酸素濃度が約２５％の位置に空気吹きの場合の送電端効率が菱形印で示されている。酸素濃度が約２５％の位置における送電端効率の差が、ガス化空気圧縮機１２と抽気空気圧縮機１０２の圧縮動力差に基づくものであると理解できる。
【００４４】
負荷変化応答時の運用性向上を図ることができる。具体的には、プラントの負荷を上昇させる際に、従来はガスタービン出力指令（ＭＷＤ指令）とガス化炉入力指令（ＧＩＤ指令）が連動し、ガス化炉３に供給するガスタービン抽気空気の増大と動くため、瞬間的にはガスタービン出力が低下しＭＷＤ増とは逆方向にプラントが挙動していた。本実施形態では、ガスタービン抽気連携を縁切りすることで、ＭＷＤに対して素直な挙動を確保できる。
【００４５】
［第２実施形態］
次に、本発明の第２実施形態について説明する。本実施形態は、第１実施形態に対して燃料電池を組み合わせて、ＩＧＦＣ（Integrated  Gasification  Fuel  cell  Combined  Cycle：ガス化燃料電池複合発電）としたものである。以下の説明では、第１実施形態との相違点のみを説明し、その他は同一符号を付してその説明を省略する。
【００４６】
図４に示されているように、本実施形態に係るガス化複合発電設備１Ａは、ガス精製設備５とガスタービン７との間に、燃料電池としてＳＯＦＣ（Solid  Oxide  Fuel  Cell：固体酸化物型燃料電池）２４が設けられている。即ち、ＳＯＦＣ２４とガスタービン７とは直列に設けられている。ＳＯＦＣ２４の燃料極には、ガス精製設備５から燃料ガスが導かれ、ＳＯＦＣ２４で使用された後の排燃料ガスがガスタービン７の燃焼器へと導かれる。ＳＯＦＣ２４の空気極には、ガス化空気圧縮機１２から導かれた圧縮空気が導かれる。これにより、ＳＯＦＣ２４は、燃料電池反応によって発電する。
【００４７】
本実施形態によれば、以下の作用効果を奏する。
ガス化炉に供給されるガスの酸素濃度が４０ｖｏｌ％以上６０ｖｏｌ％以下とされ、酸素濃度が約２５ｖｏｌ％とされる空気吹きの場合（図２参照）に比べて高い酸素濃度を有しているので、生成ガスは燃料電池を駆動するために必要なカロリーを得ることができる。これにより、ＩＧＦＣを実現することができる。
【００４８】
図２のように酸素濃度が約２５ｖｏｌ％とされる空気吹きの場合、酸素濃度が低いプロセスとなり、生成ガスのカロリーが低い。このため、生成ガスをガス精製設備５で精製した精製ガスをＳＯＦＣへ供給すると、ＳＯＦＣ出口のガスカロリーがガスタービン要求値を満足しない。このため、一部の精製ガスをＳＯＦＣに対してバイパスさせることでカロリー調整する必要が生じる。結果としてＳＯＦＣとガスタービンの最適化が図れず、送電端効率も低くなる。これに対して、本実施形態のように酸素濃度を４０ｖｏｌ％以上６０ｖｏｌ％以下として酸素濃度を高くすれば、ＳＯＦＣ２４の出口においてもガスタービン７が要求するガスカロリーを確保できるため、精製ガスがＳＯＦＣ２４をバイパスする必要性はなくなり、ＳＯＦＣ２４とガスタービン７の最適化を図ることが可能となる。
【００４９】
また、図４に示した構成に変えて、図５に示したガス化複合発電設備１Ｂのように、ＳＯＦＣ２４をガスタービン７に対して並列に配置するようにしても良い。図５のように、ＳＯＦＣ２４とガスタービン７のそれぞれに対して、ガス精製設備５から燃料ガスが２つに分岐して導かれるようになっている。ＳＯＦＣ２４から排出される排燃料ガスは、排熱回収ボイラ２０で熱回収されるようになっている。
【００５０】
なお、上述した各実施形態では、燃料として石炭としたが、石炭に限らず、再生可能な生物由来の有機性資源として使用されるバイオマスであってもよく、例えば、間伐材、廃材木、流木、草類、廃棄物、汚泥、タイヤ及びこれらを原料としたリサイクル燃料（ペレットやチップ）などを使用することも可能である。
【符号の説明】
【００５１】
１，１Ａ，１Ｂ  ガス化複合発電設備
３  ガス化炉
５  ガス精製設備
７  ガスタービン
１０  空気分離装置
１１  原料空気圧縮機
１２  ガス化空気圧縮機
１８  蒸気タービン
２０  排熱回収ボイラ
２２  煙突
２４  ＳＯＦＣ（燃料電池）
【図１】
2019027317.tif 000003
【図２】
2019027317.tif 000004
【図３】
2019027317.tif 000005
【図４】
2019027317.tif 000006
【図５】
2019027317.tif 000007